【手続補正書】
【提出日】平成17年2月4日(2005.2.4)
【手続補正１】
【補正対象書類名】明細書
【補正対象項目名】特許請求の範囲
【補正方法】変更
【補正の内容】
【特許請求の範囲】
【請求項１】
光を閉じこめて伝搬させるためのコアを備えた光導波路であって、
前記コアの光軸に垂直な方向の断面形状は、コア端面では矩形で、コア端面を除く少なくとも一部の領域では台形となっており、かつ、コアの長さ方向に沿った方向でコアの断面形状が矩形から台形へ、あるいは台形から矩形へ徐々に変化していることを特徴とする光導波路。
【請求項２】
光を閉じ込めて伝搬させるためのコアを備えた光導波路であって、
前記コアは湾曲部を有しており、該湾曲部における前記コアの光軸に垂直な方向の断面形状が台形であることを特徴とする光導波路。
【請求項３】
前記コアの湾曲部における前記断面形状は、前記コアの上面又は下面に垂直な方向に対するコアの側面の傾きが内周側よりも外周側で大きくなった台形であることを特徴とする、請求項２に記載の光導波路。
【請求項４】
請求項１ないし３に記載の光導波路に、前記コアを加熱するための加熱手段を付加したことを特徴とする光学部品。
【請求項５】
分岐部分を有するコアと、前記コアの分岐部分を加熱する加熱手段とを備えた光スイッチであって、
前記コアの光軸に垂直な方向の断面形状は、コア端面では矩形で、前記分岐部分近傍では台形となっており、かつ、コアの長さ方向に沿った方向でコアの断面形状が矩形から台形へ、あるいは台形から矩形へ徐々に変化していることを特徴とする光スイッチ。
【請求項６】
前記コアの分岐部分の断面において、前記加熱手段が配置されている面と垂直な方向でコアの高さを２等分し、前記コアの高さの２等分位置を通り前記加熱手段が配置されている面と平行な線分によりコアの断面を２分したとき、２分された断面のうち、前記加熱手段に近い側でのコアの断面の面積が、前記加熱手段から遠い側でのコアの断面の面積よりも大きいことを特徴とする、請求項５に記載の光スイッチ。
【請求項７】
前記コアの分岐部分の断面において、前記加熱手段が配置されている面と平行な方向の辺のうち、前記加熱手段に近い側の辺の長さが、前記加熱手段から遠い側の辺の長さよりも大きいことを特徴とする、請求項５に記載の光スイッチ。
【手続補正２】
【補正対象書類名】明細書
【補正対象項目名】００１６
【補正方法】変更
【補正の内容】
【００１６】
本発明の第１の光導波路は、光を閉じこめて伝搬させるためのコアを備えた光導波路であって、前記コアの光軸に垂直な方向の断面形状は、コア端面では矩形で、コア端面を除く少なくとも一部の領域では台形となっており、かつ、コアの長さ方向に沿った方向でコアの断面形状が矩形から台形へ、あるいは台形から矩形へ徐々に変化していることを特徴としている。
【手続補正３】
【補正対象書類名】明細書
【補正対象項目名】００１７
【補正方法】変更
【補正の内容】
【００１７】
本発明の第１の光導波路においては、コアの光軸に垂直な方向の断面形状が、コア端面では矩形で、コア端面を除く少なくとも一部の領域では台形となっており、かつ、コアの長さ方向に沿った方向でコアの断面形状が矩形から台形へ、あるいは台形から矩形へ徐々に変化しているので、均一なコア材料を用いていても、断面形状を変化させることによってコアの実効的な屈折率を変化させることができる。よって、断面形状の変化によってコアの任意の箇所でコアの実効的な屈折率を制御することができ、コアを伝搬する電界分布を制御することができる。例えば、コアの湾曲部分や分岐部分において、光がコアから漏れて損失になりにくいように光の電界分布を制御できる。よって、伝搬損失を抑制しながら大きな曲率でコアを湾曲させることも可能になるので、コアの形状の自由度が増し、また、光導波路を大きくすることなく、コアの方向を大きく曲げることも可能になる。
【手続補正４】
【補正対象書類名】明細書
【補正対象項目名】００１９
【補正方法】変更
【補正の内容】
【００１９】
本発明の第２の光導波路は、光を閉じ込めて伝搬させるためのコアを備えた光導波路であって、前記コアは湾曲部を有しており、該湾曲部における前記コアの光軸に垂直な方向の断面形状が台形であることを特徴としている。
【手続補正５】
【補正対象書類名】明細書
【補正対象項目名】００２０
【補正方法】変更
【補正の内容】
【００２０】
本発明の第２の光導波路においては、コアが湾曲部を有しており、該湾曲部におけるコアの光軸に垂直な方向の断面形状が台形となっているので、均一なコア材料を用いていても、湾曲部で断面形状を変化させることによってコアの実効的な屈折率を変化させることができる。よって、断面形状の変化によってコアの湾曲部分でコアの実効的な屈折率を制御することができ、コアを伝搬する電界分布を制御することができる。例えば、コアの湾曲部分において、光がコアから漏れて損失になりにくいように光の電界分布を制御できる。よって、コアを伝搬損失を抑制しながら大きな曲率で湾曲させることも可能になるので、コアの形状の自由度が増し、また、光導波路を大きくすることなく、コアの方向を大きく曲げることも可能になる。
【手続補正６】
【補正対象書類名】明細書
【補正対象項目名】００２１
【補正方法】変更
【補正の内容】
【００２１】
本発明による第２の光導波路の実施態様における前記コアの湾曲部における前記断面形状は、前記コアの上面又は下面に垂直な方向に対するコアの側面の傾きが内周側よりも外周側で大きくなった台形であることを特徴としている。かかる実施態様によれば、コアの外周側における実効屈折率をコアの内周側における実効屈折率よりも小さくすることができ、外周側における光の漏れを抑制してコア内を伝搬する光の伝搬損失を小さくできる。
【手続補正７】
【補正対象書類名】明細書
【補正対象項目名】００２２
【補正方法】変更
【補正の内容】
【００２２】
本発明にかかる光学部品は、本発明にかかる第１又は第２の光導波路に、前記コアを加熱するための加熱手段を付加したものである。このような光学部品によれば、加熱手段でコアを加熱することによってコアの屈折率を変化させ、コアを伝搬する光の振る舞いを制御することができる。しかも、本発明の光導波路を用いることで、光の損失を小さくできると共に、コアの断面形状に変化をつけることで加熱手段で加熱した時の光の振る舞いも制御することができる。よって、加熱手段の制御によりコア内を伝搬する光の振る舞いを制御でき、損失が小さくて小型の光学部品を得ることができる。
【手続補正８】
【補正対象書類名】明細書
【補正対象項目名】００２３
【補正方法】変更
【補正の内容】
【００２３】
本発明にかかる光スイッチは、分岐部分を有するコアと、前記コアの分岐部分を加熱する加熱手段とを備えた光スイッチであって、前記コアの光軸に垂直な方向の断面形状は、コア端面では矩形で、前記分岐部分近傍では台形となっており、かつ、コアの長さ方向に沿った方向でコアの断面形状が矩形から台形へ、あるいは台形から矩形へ徐々に変化していることを特徴としている。
【手続補正９】
【補正対象書類名】明細書
【補正対象項目名】００２４
【補正方法】変更
【補正の内容】
【００２４】
本発明の光スイッチにおいては、加熱手段によるコアの加熱箇所を制御することにより分岐部分における光の伝搬方向を切り換えることができる。しかも、コアの光軸に垂直な方向の断面形状は、コア端面では矩形で、前記分岐部分近傍では台形となっており、かつ、コアの長さ方向に沿った方向でコアの断面形状が矩形から台形へ、あるいは台形から矩形へ徐々に変化しているので、均一なコア材料を用いていても、断面形状を変化させることによってコアの実効的な屈折率を変化させることができる。よって、断面形状の変化によってコアの任意の箇所でコアの実効的な屈折率を制御することができ、コアを伝搬する電界分布を制御することができる。例えば、コアの分岐部分において、光がコアから漏れて損失になりにくいように光の電界分布を制御できる。よって、コアを損失を抑制しながら大きな曲率で湾曲させることも可能になるので、コアの形状の自由度が増し、また、光スイッチを大きくすることなく、コアの方向を大きく曲げることも可能になる。従って、本発明によれば、低損失で消光比の高い光スイッチを製作することができる。
【手続補正１０】
【補正対象書類名】明細書
【補正対象項目名】００２６
【補正方法】変更
【補正の内容】
【００２６】
本発明にかかる光スイッチの実施態様は、前記コアの分岐部分の断面において、前記加熱手段が配置されている面と垂直な方向でコアの高さを２等分し、前記コアの高さの２等分位置を通り前記加熱手段が配置されている面と平行な線分によりコアの断面を２分したとき、２分された断面のうち、前記加熱手段に近い側でのコアの断面の面積が、前記加熱手段から遠い側でのコアの断面の面積よりも大きいことを特徴としている。例えば、このようなコアの断面形状としては、加熱手段側で幅の広くなった台形のものがある。これらの実施形態では、コアが加熱手段側に偏っているので、加熱手段による加熱に対して屈折率の変化が敏感になり、消光比をより高くすることができる。
【手続補正１１】
【補正対象書類名】明細書
【補正対象項目名】００２７
【補正方法】変更
【補正の内容】
【００２７】
本発明にかかる光スイッチの別な実施態様は、前記コアの分岐部分の断面において、前記加熱手段が配置されている面と平行な方向の辺のうち、前記加熱手段に近い側の辺の長さが、前記加熱手段から遠い側の辺の長さよりも大きいことを特徴としている。例えば、このようなコアの断面形状としては、加熱手段側で幅の広くなった台形のものがある。これらの実施形態では、コアが加熱手段側に偏っているので、加熱手段による加熱に対して屈折率の変化が敏感になり、消光比をより高くすることができる。
【手続補正１２】
【補正対象書類名】明細書
【補正対象項目名】００６２
【補正方法】変更
【補正の内容】
【００６２】
【発明の効果】
本発明の光導波路によれば、コアの光軸に垂直な方向の断面形状は、コア端面では矩形で、コア端面を除く少なくとも一部の領域では台形となっており、かつ、コアの長さ方向に沿った方向でコアの断面形状が矩形から台形へ、あるいは台形から矩形へ徐々に変化しているので、均一なコア材料を用いていても、断面形状を変化させることによってコアの実効的な屈折率を変化させることができる。よって、断面形状の変化によってコアの任意の箇所でコアの実効的な屈折率を制御することができ、コアを伝搬する電界分布を制御することができる。例えば、コアの湾曲部分や分岐部分において、光がコアから漏れて損失になりにくいように光の電界分布を制御できる。よって、コアを損失を抑制しながら大きな曲率で湾曲させることも可能になるので、コアの形状の自由度が増し、また、光導波路を大きくすることなく、コアの方向を大きく曲げることも可能になる。
【手続補正１３】
【補正対象書類名】明細書
【補正対象項目名】００６４
【補正方法】変更
【補正の内容】
【００６４】
本発明の光スイッチによれば、加熱手段によるコアの加熱箇所を制御することにより分岐部分における光の伝搬方向を切り換えることができる。しかも、コアの光軸に垂直な方向の断面形状は、コア端面では矩形で、コア端面を除く少なくとも一部の領域では台形となっており、かつ、コアの長さ方向に沿った方向でコアの断面形状が矩形から台形へ、あるいは台形から矩形へ徐々に変化しているので、均一なコア材料を用いていても、断面形状を変化させることによってコアの実効的な屈折率を変化させることができる。よって、断面形状の変化によってコアの任意の箇所でコアの実効的な屈折率を制御することができ、コアを伝搬する電界分布を制御することができる。例えば、コアの湾曲部分や分岐部分において、光がコアから漏れて損失になりにくいように光の電界分布を制御できる。よって、コアを損失を抑制しながら大きな曲率で湾曲させることも可能になるので、コアの形状の自由度が増し、また、光スイッチを大きくすることなく、コアの方向を大きく曲げることも可能になる。従って、本発明によれば、低損失で消光比の高い光スイッチを製作することができる。